(57)【要約】      （修正有）【課題】雪のない環境で、秋田県横手地方の伝統行事である「横手のかまくら」と「横手のかまくら」の幽玄なろうそくの灯火を再現し、「横手のかまくら」を作って楽しむことができる電子ミニミニかまくらを提供する。【解決手段】直径と高さの比が約６：５で、また、表面に細かな皺があるかまくら型シェード部１と、発光するＬＥＤ部２と、高さ２ｍｍ以下の細かな凹凸を有する台座部３と、ＬＥＤ部に送る電流を制御する電子制御部４と、電子制御部に電力を供給する電源部５とで、電子ミニミニかまくらを構成する。【選択図】図１
0003161063.tif 000002
【実用新案登録請求の範囲】
【請求項１】
本考案は、直径と高さの比が約６：５で、また、表面に細かな皺があるかまくら型シェード部と、発光するＬＥＤ部と、高さ２ｍｍ以下の細かな凹凸を有する台座部と、ＬＥＤ部に送る電流を制御する電子制御部と、電子制御部に電力を供給する電源部より構成されたことを特徴とする横手清陵学院高校電子ミニミニかまくら。
【請求項２】
前記ＬＥＤ部が可視光の範囲で発光色が変化するフルカラーＬＥＤを、また、前記電子制御部がフルカラーＬＥＤを点灯／消灯させるプログラムを内蔵したＣＰＵと、電流をＯＮ／ＯＦＦするスイッチング回路を備えた請求項１記載の横手清陵学院高校電子ミニミニかまくら。
【請求項３】
前記かまくら型シェード部、前記ＬＥＤ部、前記台座部、前記電子制御部、前記電源供給部は、それぞれ、構造、機能が独立し、また、使用者が容易に各部を接合できる端子、および接合部分を備えた請求項１および請求項２記載の横手清陵学院高校電子ミニミニかまくら。
【考案の詳細な説明】
【技術分野】
【０００１】
本考案は、「かまくら」の形をした置物に関するものである。
【背景技術】
【０００２】
従来、「かまくら」の形をした置物は、ドーム状の形状と、内部空間と、本物の「かまくら」の入り口に相当する部分を備えていた。また、従来の「かまくら」の形をした置物の材質は、ガラス、石、プラスチック、陶器、木材が使用されていた。さらに、従来の「かまくら」の形をした置物は、灯りを見せる機能がなかった。加えて、従来の「かまくら」の形をした置物は、製造時にすべての部品が接合されており、使用者が「かまくら」を作ることを楽しむ機能がなかった。
【先行技術文献】
【特許文献】
【０００３】
【特許文献１】登録実用新案第３１５３３４９号公報
【考案の概要】
【考案が解決しようとする課題】
【０００４】
秋田県横手地方の伝統行事である「横手のかまくら」は、直径３ｍ、高さ２．５ｍの円筒形をしているが、従来の「かまくら」の形をした置物は、内部空間と、本物の「かまくら」の入り口に相当する部分を備えていたが、形状が、実際の「横手のかまくら」と異なっていること、また、「横手のかまくら」はスコップ等で雪を押し固めて作られ、表面に凹凸が生じるが、従来の「かまくら」の形をした置物は、ガラス、石、プラスチック、陶器などを用いていて表面がなめらかであったため、雪のない環境で「横手のかまくら」を再現することができなかった。
【０００５】
さらに、「横手のかまくら」は、「かまくら」の内部にそうろくを灯し、「かまくら」の外部からろうそくの灯りが見えるが、従来の「かまくら」の形をした置物は、灯りを見せる機能がないため、「横手のかまくら」の幽玄なろうそくの灯火を再現することができなかった。
【０００６】
加えて、実際の「横手のかまくら」は、誰でも作ることができるが、従来の「かまくら」の形をした置物は、製造時にすべての部品が接合されており、使用者は、雪がない環境で「横手のかまくら」を作ることを楽しむことができなかった。
【課題を解決するための手段】
【０００７】
上記の目的を達成するために、本考案は、直径と高さの比が約６：５で、また、表面に細かな皺があるかまくら型シェード部と、発光するＬＥＤ部と、高さ２ｍｍ以下の細かな凹凸を有する台座部と、ＬＥＤ部に送る電流を制御する電子制御部と、電子制御部に電力を供給する電源部とで、横手清陵学院高校電子ミニミニかまくらを構成している。
【０００８】
また、前記横手清陵学院高校電子ミニミニかまくらにおいて、ＬＥＤ部が可視光の範囲で発光色が変化するフルカラーＬＥＤを、また、電子制御部がフルカラーＬＥＤを点灯／消灯させるプログラムを内蔵したＣＰＵ部と、電流をＯＮ/ＯＦＦするスイッチング回路を備えている。
【０００９】
さらに、前記横手清陵学院高校電子ミニミニかまくらにおいて、かまくら型シェード部、フルカラーLED部、台座部、電子制御部、電源供給部は、構造、機能が独立しており、使用者が容易に各部を接合できる端子、および接合部分を備えている。
【考案の効果】
【００１０】
以上の説明から明らかなように、本考案にあっては次に列挙する効果が得られる。
（１）直径と高さの比が約６：５で、また、表面に細かな皺があるかまくら型シェード部と、光色がするＬＥＤ部と、高さ２ｍｍ以下の細かな凹凸を有する台座部と、LED部に送る電流を制御する電子制御部と、電子制御部に電力を供給する電源部とで構成されているので、雪のない環境でも、容易に、「横手のかまくら」を再現することができる。
（２）前記ＬＥＤ部が可視光の範囲で発光色が変化するフルカラーＬＥＤを、また、前記電子制御部がフルカラーＬＥＤを点灯／消灯させるプログラムを内蔵したＣＰＵ部と、電流をＯＮ/ＯＦＦするスイッチング回路を備えているので、「横手のかまくら」の幽玄なろうそくの灯火を再現することができる。
（３）かまくら型シェード部、フルカラーLED部、台座部、電子制御部、電源供給部は、構造、機能が独立し、また、使用者が容易に各部を接合できる端子、および接合部分を備えているので、使用者は、雪がない環境でも「横手のかまくら」を作ることを楽しむことができる。
【図面の簡単な説明】
【００１１】
【図１】本考案の実施例の概略図である。
【図２】図1の平面図である。
【図３】図１の正面縦断面図である。
【図４】図１の展開説明図である。
【図５】フルカラーＬＥＤ点灯制御の概要説明図である。
【考案を実施するための形態】
【００１２】
以下、本考案の一実施例を図に基づいて説明する。
【実施例１】
【００１３】
図１は、本考案の概要を示す正面図であり、かまくら型シェード部１と、フルカラーＬＥＤ部２、台座部３と、電子制御部４と、電源部５を具備する。
【００１４】
図1に示すように、かまくら型シェード部１は、「横手のかまくら」の形状に近いように、高さＨと直径Ｄの比は約６：5にしている。また、図２に示すように、上部から見た場合、円形をしている。材質は紙粘土で、表面に細かな皺があり、この皺が、実物の「かまくら」の、雪を押し固めた際に生じる凹凸を表現する。かまくら型シェード部１は、直径と深さの比が約６：5のバケツ状の型の内側に、ほぼ厚さが均一になるように紙粘土を押し付けて成形し、型からはずして十分に紙粘土を乾燥させた後、かまくら型シェード部１の入り口部分を切り取って作る。また、内側から加える圧力を調整することにより、かまくら型シェード部１の外表面に紙粘土の繊維成分による細やかな皺を作る。
【００１５】
図３に示すように、ＬＥＤ部２は、フルカラーＬＥＤ２１と、配線２２と、フルカラーＬＥＤ２１と配線２２の接合部を固定し、雪面部３０に固定する固定台２３で構成される。ＬＥＤ部２は、フルカラーＬＥＤ２１と配線２２を半田づけ等により結合し、その後、固定台２３のあらかじめ開けている貫通した穴に、固定台２３の上部からフルカラーＬＥＤ２１と配線２２を挿入し、フルカラーＬＥＤ２１の発光部分が固定台２３の上部から、配線２２が下部から出るように、フルカラーＬＥＤ２１および配線２２を固定台２３に固定して作る。
【００１６】
台座部３は、雪面部３１と、蓋３２と、収容部３３から構成される。雪面部３１は、材質がスチレンボード等で、上面に高さ２ｍｍ以下の細かな凹凸を有し、前記凹凸が実際に雪の凹凸を表現する。また、下面は台座３０と接着しやすいようになめらかになっている。蓋３２は、材質がポリプロピレン等で、上面が雪面部３１と接着できるようになめらかになっており、また、上部にかまくら型シェード部１と、ＬＥＤ部２、雪面部３１の重量に耐えられる強度を有する。収容部３３は、材質がポリプロピレン等で、電子制御部４、電源部５を収容することができ、また、かまくら型シェード部１と、ＬＥＤ部２、雪面部３１、蓋３２を支える。台座部３０は、雪面部３１の下部と蓋３２の上部を接着剤等により接着し、一体となった物に、配線２２を通す穴をあけ、その後、収容部３３に合体させて作る。
【００１７】
図４に示すように、電子制御部４は、ＣＰＵ４１と、スイッチング回路４２と、配線５１を接続する電源端子４３と、配線２２を接続する信号端子４４から構成される。ＣＰＵ４１は、フルカラーＬＥＤ２１を点灯／消灯させるプログラムを内蔵し、フルカラーＬＥＤ２１を点灯／消灯させるタイミング信号ａを出力する。スイッチング電子回路４２は、タイミング信号ａにより、フルカラーＬＥＤ部２への供給電流ｃをＯＮ／ＯＦＦする。電源端子４３で受電した電力ｂは、ＣＰＵ４１とスイッチング回路部４２に供給される。また、供給電流ｃは、信号端子４４を通じて、配線２１に伝えられる。
【００１８】
電源部５０は、配線５１を通じて、電子制御部４０に電力ｂを供給する。
【００１９】
次に、前記各部を用いて組み立てる作業を説明する。第一に、台座部５０の上部より、穴にＬＥＤ部２の配線２２を通した後、配線２２を電子制御部４０の信号端子４４に接続する。第二に、電子制御部４０の電源接続部４３に、電源部５０の配線５１を接続する。第三に、ＬＥＤ部２の固定台２３の下面と雪面部３１の上面を接着剤等で接合する。第四に、電子制御部４０と電源部５０を台座部３に収容し蓋をする。接合されたＬＥＤ部２、台座部３に上部からかまくら型シェード１をかぶせる。以上の様に、本考案は、各部の組立工程数が少なく、また、作業内容が非常に簡単であるという特徴を有する。
【産業上の利用可能性】
【００２０】
本考案はＬＥＤを用いる置物の製造業に利用可能である。
【符号の説明】
【００２１】
１・・・かまくら型シェード部        ２・・・LED部
３・・・台座部                      ４・・・電子制御部
５・・・電源部                     ２１・・・フルカラーＬＥＤ  
２２・・・配線                      ２３・・・固定台                    
３１・・・雪面部                    ３２・・・蓋
３３・・・収容部                    ４１・・・ＣＰＵ                  
４２・・・スイッチング回路          ４３・・・電源端子                  
４４・・・信号端子                ５１・・・配線
ａ・・・タイミング信号              ｂ・・・電力
ｃ・・・供給電流
【図１】
0003161063.tif 000003
【図２】
0003161063.tif 000004
【図３】
0003161063.tif 000005
【図４】
0003161063.tif 000006
【図５】
0003161063.tif 000007
【手続補正書】
【提出日】平成22年4月21日(2010.4.21)
【手続補正１】
【補正対象書類名】実用新案登録請求の範囲
【補正対象項目名】全文
【補正方法】変更
【補正の内容】
【実用新案登録請求の範囲】
【請求項１】
直径と高さの比が約６：５で、また、表面に細かな皺があるかまくら型シェード部と、発光するＬＥＤ部と、高さ２ｍｍ以下の細かな凹凸を有する台座部と、ＬＥＤ部に送る電流を制御する電子制御部と、電子制御部に電力を供給する電源部より構成されたことを特徴とする電子ミニミニかまくら。
【請求項２】
前記ＬＥＤ部が可視光の範囲で発光色が変化するフルカラーＬＥＤを、また、前記電子制御部がフルカラーＬＥＤを点灯／消灯させるプログラムを内蔵したＣＰＵと、電流をＯＮ／ＯＦＦするスイッチング回路を備えた請求項１記載の電子ミニミニかまくら。
【請求項３】
前記かまくら型シェード部、前記ＬＥＤ部、前記台座部、前記電子制御部、前記電源部は、それぞれ、構造、機能が独立した請求項１または請求項２記載の電子ミニミニかまくら。
【手続補正３】
【補正対象書類名】明細書
【補正対象項目名】０００７
【補正方法】変更
【補正の内容】
【０００７】  上記の目的を達成するために、本考案は、直径と高さの比が約６：５で、また、表面に細かな皺があるかまくら型シェード部と、発光するＬＥＤ部と、高さ２ｍｍ以下の細かな凹凸を有する台座部と、ＬＥＤ部に送る電流を制御する電子制御部と、電子制御部に電力を供給する電源部とで、電子ミニミニかまくらを構成している。
【手続補正４】
【補正対象書類名】明細書
【補正対象項目名】０００８
【補正方法】変更
【補正の内容】
【０００８】  また、前記電子ミニミニかまくらにおいて、ＬＥＤ部が可視光の範囲で発光色が変化するフルカラーＬＥＤを、また、電子制御部がフルカラーＬＥＤを点灯／消灯させるプログラムを内蔵したＣＰＵ部と、電流をＯＮ／ＯＦＦするスイッチング回路を備えている。
【手続補正５】
【補正対象書類名】明細書
【補正対象項目名】０００９
【補正方法】変更
【補正の内容】
【０００９】  さらに、前記電子ミニミニかまくらにおいて、かまくら型シェード部、フルカラーＬＥＤ部、台座部、電子制御部、電源部は、構造、機能が独立しており、使用者が容易に各部を接合できる端子、および接合部分を備えている。